(57)【要約】イメージを視覚化するための装置であって、（ａ）筐体と、（ｂ）透明材料からなり、レンズの多重効果を有し、後ろに配置されたイメージを視認できるようにするために筐体の壁面に配置された窓と、（ｃ）２つ以上のイメージを有するカード様の媒体を保持するために窓のレンズの後ろに配置されたホルダを、往復する態様で移動させるために筐体に配置された移動手段とを備える。
2005524861.tif 000002
【特許請求の範囲】
【請求項１】
イメージを視覚化するための装置であって、
筐体と、
透明材料からなり、レンズの多重効果を有し、後ろに配置されたイメージを視認できるようにするために前記筐体の壁面に配置された窓と、
２つ以上のイメージを有するカード様の媒体を保持するために前記窓のレンズの後ろに配置されたホルダを、往復する態様で移動させるために前記筐体に配置された移動手段とを備える、装置。
【請求項２】
前記窓のリブは、予め定められた焦点距離を有する円柱レンズを形成する、請求項１に記載の装置。
【請求項３】
前記焦点距離は３５ｍｍ程度である、請求項２に記載の装置。
【請求項４】
前記移動手段は、
モータと、
前記モータによって駆動される１つ以上の歯車および／またはウォームとを含み、
前記歯車の１つは、前記イメージを有する前記媒体を上に有する前記ホルダを移動させるために前記ホルダのフックと係合する偏心カムを含む、請求項１から請求項３のいずれかに記載の装置。
【請求項５】
前記移動手段は、所望の位置に往復する態様でスライドを移動させ、かつ、押すためのばね手段を含む、請求項１から請求項３のいずれかに記載の装置。
【請求項６】
イメージを視覚化するための方法であって、
筐体を配置するステップと、
透明材料からなり、レンズの多重効果を有する窓を、前記筐体の壁面に配置するステップと、
２つ以上のイメージを有するカード様の媒体を保持するためのホルダを前記窓の後ろに配置するステップと、
前記筐体内に移動手段を配置するステップとを含み、
前記移動手段は、前記ホルダの往復運動のために前記ホルダと係合する、方法。
【請求項７】
請求項１から請求項５のいずれかに実質的に記載された装置と、２つ以上のイメージを有するカード様の媒体とのアセンブリ。
【請求項８】
アセンブリおよび／または請求項１から請求項５のいずれかに記載の装置に適するカード様の媒体。
【請求項９】
直線部分に分割された２つ以上のイメージが１つおきの線上に印刷された、たとえば厚紙、紙、またはプラスチックのカード様本体を備える、請求項８に記載のカード様媒体。
【発明の詳細な説明】
【技術分野】
【０００１】
この発明は、イメージを視覚化するための装置と、上に２つ以上のイメージを有するカードと、イメージを視覚化するための方法とに関する。
【背景技術】
【０００２】
主に若者および子供の関心を引くイメージ、たとえばフォックス・キッズ（Fox Kids）の漫画からの漫画の登場人物、ハリー・ポッター（Harry Potter)、およびポケモン（Pokemon）のイメージを上に有するカードおよびコインは大変人気がある。これらのカードおよびコインは、その原価の何倍もの価格で取り引きされるうえに、これらのカードは、広告のためにおよび製品の販売促進の際に、重大な影響をも及ぼす。実際に最近示されたように、たとえばポケモンのイメージを上に有するこのようなカードが製品と共に包装される場合、これによって製造業者の市場占有率が、たとえば１０％上昇し得る。
【発明の開示】
【発明が解決しようとする課題】
【０００３】
この発明の目的は、販売促進および広告用の改良されたカードまたはコインと、このカードまたはコインのための装置および方法とを提供することである。
【課題を解決するための手段】
【０００４】
この発明は、上述の目的を達成しようと努め、この目的のために、イメージを視覚化するための装置を提供する。この装置は、
筐体と、
透明材料からなり、レンズの多重効果を有し、後ろに配置されたイメージを視認できるようにするために筐体の壁面に配置された窓と、
２つ以上のイメージを有するカード様の媒体を保持するために窓のレンズの後ろに配置されたホルダを、往復する態様で移動させるために筐体に配置された移動手段とを備える。
【０００５】
このような装置を用いることにより、より低い生産コストを伴った態様で、カード様の媒体上にイメージを視覚化することができる。
【０００６】
さらに別の好ましい実施例によると、この発明は、請求項１に記載の装置を提供し、ここで窓のリブは、予め定められた焦点距離を有する円柱レンズを形成する。カード様の媒体とは別個にこのような装置に円柱レンズを配置することにより、コストの削減が達成され、それによってこの装置は、広告の目的に特に適する。
【０００７】
さらに別の好ましい実施例によると、この発明は、請求項２に記載の装置を提供し、ここで焦点距離は３５ｍｍ程度である。
【０００８】
さらに別の好ましい実施例によると、この発明は、請求項１から請求項３のいずれかに記載の装置を提供し、ここで移動手段は、
モータと、
モータによって駆動される１つ以上の歯車および／またはウォームとを含み、
歯車の１つは、イメージを有する媒体を上に有するホルダを移動させるためにホルダのフックと係合する偏心カムを含む。
【０００９】
この発明のさらに別の好ましい実施例によると、移動手段は、所望の位置に往復する態
様でスライドを移動させ、かつ、押すためのばね手段を含む。このばね手段により、装置はモータがなくても機能することができ、それによって一層大きなコスト削減を達成する。
【００１０】
さらに別の局面によると、この発明は、イメージを視覚化するための方法を提供する。この方法は、
筐体を配置するステップと、
透明材料からなり、レンズの多重効果を有する窓を、筐体の壁面に配置するステップと、
２つ以上のイメージを有するカード様の媒体を保持するためのホルダを窓の後ろに配置するステップと、
移動手段を配置するステップとを含み、
移動手段は、ホルダの往復運動のためにホルダと係合する。
【００１１】
このような方法は、広告および販売促進に対する新規の可能性を提供し、公知の方法に比べてコストの削減も達成される。
【発明を実施するための最良の形態】
【００１２】
この発明のさらに別の利点および特徴は、添付の図面に基づいて説明される。
【００１３】
イメージを視覚化するための装置１は、筐体の上部２および下部４を含む。上部２には、透明プラスチック等の透明材料の窓６が配置される（図１）。
【００１４】
装置１の分解図（図２）は、中に窓６が配置された細長い開口部１０を有する筐体の上部２を示す。窓６は、その下面において平坦であり、上面において半円形の断面のリブ１２を含み、このリブ１２が窓のレンズ効果をもたらす。リブ１２は焦点距離が約３５ｍｍであり、幅が０．５ｍｍ程度である。筐体の上側２には、筐体に収容されるモータ１４を作動させるための丸いボタン８が配置される。
【００１５】
実際の実施例において、カードの寸法は、長さが８〜１０ｃｍであり、幅が５〜８ｃｍである。それにより、筐体の寸法は、長さが１０〜１２ｃｍ程度であり、幅が７〜１０ｃｍ程度であり、高さが１〜２ｃｍ程度である。レンズは、１ｃｍ当り１２本のリブ（１インチ当り３０本のリブ）を有し、または一層良好な画像品質を得るために、１ｃｍ当り１６本のリブ（１インチ当り４０本のリブ）を有する。
【００１６】
筐体４の下部側に、電気モータ１４と、この電気モータを駆動するための電池１６とが配置される。ウォーム１８により、モータ１４はいくつかの歯車を駆動して連続運動を行なわせ、この運動を伝達して速度を下げる。歯車２０は、一方側（図示せず）においてスライド２４のフック２２と係合する偏心カムを有する。歯車２０の回転運動により、歯車２０に取付けられた偏心カムは、約３０ｒｐｍの回転運動を、筐体の長手方向におけるフック２２およびスライド２４の往復運動に変換する。この往復運動は、０〜約１．５ｍｍ／ｓの範囲の速度を有する。スライド２４上に２つのクリップ２６が配置され、これらのクリップの下で、カード２８は摺動することができ、かつ、固定する態様でクランプされ得る。カード２８は印刷された印刷部３０を有し、ここでは２つ以上のイメージが、約０．３ｍｍの線幅を有する直線部分に分割され、異なるイメージの線がカード２８上に１つおきに印刷されている。その結果、別個のイメージが混在しているのを見ることができ、したがって、窓のない通常の状態では別個のイメージを鮮明に見ることができない。上に印刷部３０を有するカード２８がスライド２４のクリップ２６の下にクランプされると、カード２８はスライドとともに偏位され、したがって窓６の後ろで往復する態様で動く。リブ１２のレンズ効果により、印刷部３０において１つおきの線上にあるイメージは、こ
れにより、窓６の後ろのカード２８の位置に依存して個々に視認できるようになる。ここでボタン８を押すことにより、モータ１４が作動状態に置かれ、それによって異なるイメージが連続運動の状態で次々と個々に視認できるようになる。イメージは、１秒当りほぼ３つのイメージという速度で変化する。
【００１７】
同様の種類の装置（図３）は、ここでもまた、筐体の上部４２および筐体の下部４４を備え、これらの部分はプラスチックで製造される。上部４２の細長い開口部に、第１の実施例における上述のレンズと同じレンズ６が配置される。各々が１つおきの線上に印刷された２つ以上のイメージを有する印刷部３０を上に有するカード２８を、次に、スライド４６上に配置することができる。スライド４６は、間にカード２８を配置して定位置に保持する直立した縁部４８を有する。丸みのある外側端部上に厚みのある部分５０が形成され、この部分５０により、ユーザは指でスライドを作動させて押込むことができ、それによって上に印刷部３０を有するカード２８は、窓６の後ろで往復する態様で動き、１つおきの線上に印刷されたイメージが、窓６のレンズ効果によって個々に視認できるようになる。ここではユーザの指がスライド４６を筐体内に押す力をもたらす。たとえばプラスチックまたはばね鋼のばね５２が、厚みのある端部５０の反対側に位置する他方端に配置され、ここで圧縮されて、スライド４６を再び筐体から押出すための対向する力を生じる。筐体４４の後ろ側に２つのカム５４が配置され、これらのカム５４は、スライド４６の細長い開口部５６と係合してスライドを案内する。
【００１８】
上述の第１および第２の実施例に従ったこの発明により、１つおきの線上に印刷されたイメージを上に有するカードおよびコインを、費用対効果の大きな態様で視覚化することができる。１枚のカードまたは１つのコイン当りの原価は、先行技術に従った原価よりも低い。なぜなら、不可欠の構成要素である、レンズ効果を有する窓が、別個のユニットに含まれており、カード上に含まれていないためである。原価が一層低いことにより、製品１個につき費用対効果の一層大きな態様でカードを流通させることができ、それによってカードの特定の用途を強化する。すなわち、カードを提供して製品の販売促進を行なうか、または広告の目的でカードを提供する。
【００１９】
この発明は、上述の好ましい実施例に限定されない。請求される権利は前掲の請求項によって規定され、請求項の範囲内に多くの変更例を想定することができる。
【図面の簡単な説明】
【００２０】
【図１】この発明の第１の好ましい実施例の斜視図である。
【図２】図１の第１の好ましい実施例の分解斜視図である。
【図３】この発明の第２の好ましい実施例の斜視図である。
【図４】図３の第２の好ましい実施例の分解斜視図である。
【図１】
2005524861.tif 000003
【図２】
2005524861.tif 000004
【図３】
2005524861.tif 000005
【図４】
2005524861.tif 000006
【国際調査報告】
2005524861.tif 000007
2005524861.tif 000008